(57)【要約】【課題】この発明は着用者が指輪を装着する部位に合わせて着用者ごとにフィットする指輪、およびその指輪の製造システムに関する。【解決手段】この発明の指輪１は、着用者の指Ｆの指輪装着部位の外周面形状を測定し、得られた形状に沿って内周壁面を形成してなることを特徴とする。また、この発明の指輪製造システムは、着用者の指Ｆの指輪装着部位の外周面形状を測定する測定装置１０、１０’と、該測定装置１０、１０’によって得られた形状に沿って少なくとも内周壁面を形成する指輪製造装置２０とからなることを特徴とする。【選択図】    図１
2004159872.tif 000002
【特許請求の範囲】
【請求項１】
着用者の指の指輪装着部位の外周面形状を測定し、得られた形状に沿って内周壁面を形成してなることを特徴とする指輪。
【請求項２】
着用者の指の指輪装着部位の外周面形状を測定する測定装置と、該測定装置によって得られた形状に沿って少なくとも内周壁面を形成する指輪製造装置とからなることを特徴とする指輪製造システム。
【請求項３】
予め一定の形状に成形されているリングを準備しておき、指輪製造装置で、上記リングの内周壁面を測定装置で得られた形状に沿って成形してなることを特徴とする請求項２に記載の指輪製造システム。
【発明の詳細な説明】
【０００１】
【発明の属する技術分野】
この発明は、着用者が指輪を装着する部位に合わせて着用者ごとにフィットする指輪、およびその指輪の製造システムに関するものである。
【０００２】
【従来の技術】
指輪サイズは、予め一定の間隔で異なる直径の円形リングを作成しておき、着用者の指が、どのサイズに近いかを判定して指輪のサイズを決めていた。
しかし、指の形状は、着用者毎に異なるために、サイズだけでなくその形状も個人差があり、着用者の指に沿って指輪をフィットさせることは困難であった。そこで、例えば、登録実用新案第３００６２０３号や実開平７−３３１１５号の指の太さに対応できる指輪では、宝石等を取り付ける飾台部を具備する既存の指輪において、指を挿入する環状部の内周面に突起又は穴を設け、同内周面に即した円弧状に形成した指輪止めを、その一端側を前記内周面上に浮かせて前記突起又は穴の部分に固着したものがある。
しかし、上記構成では、指輪止めが指を締め付けることによって指輪のずれを防いでいるため、長時間装着すると指輪止めで指の装着部位が圧迫されてしまうという欠点があった。
また、特開平８−１６８４０６号の指輪では、リング（環状部）の外周部で、指の側面に当たる外周部に凹みを形成して、隣の指との接触に無理のないようし、また内周もこれに沿って楕円形とした構成が開示されている。
しかし、上記構成では、リングの内径部は、予め一定に形成しておく点で従来と同様であり、着用者の指の個別的な形状に対応することは無かった。
【０００３】
【特許文献１】
実開平７−３３１１５号（全文公報４頁０００９の項および００１２の項の説明、図１）
【特許文献２】
特開平８−１６８４０６号公報（公報２頁０００４から０００５の項および図５）
【０００４】
【発明が解決しようとする課題】
着用者の指の指輪装着部位は、真円となることはなく、また必ずしも前後あるいは左右方向に対称形状になるわけでもなく、非対称で且つ着用者毎に異なる形状からなっている。
従って、従来のような円形や楕円形を基調としたリングでは、指の外周面との間に隙間が生じてしまいぴったりとフィットさせることはできなかった。
この発明は上記事情に鑑みて創案されたものであって、その主たる課題は、着用者の指の装着部位の外周面形状に合わせた内周面を有して、指輪の装着時に着用者の指にぴったりとフィットさせて違和感を与えることのない着用者だけに適した指輪およびその指輪を製造するシステムを提供することにある。
【０００５】
【課題を解決するための手段】
前記課題を達成するために、請求項１の指輪の発明では、
着用者の指の指輪装着部位の外周面形状を測定し、得られた形状に沿って内周壁面を形成してなる、という技術的手段を講じている。
また、請求項２の指輪製造システムの発明では、
着用者の指の指輪装着部位の外周面形状を測定する測定装置と、該測定装置によって得られた形状に沿って少なくとも内周壁面を形成する指輪製造装置とからなる、という技術的手段を講じている。
更に、請求項３の発明では、
予め一定の形状に成形されているリングを準備しておき、指輪製造装置で、上記リングの内周壁面を測定装置で得られた形状に沿って成形してなる、という技術的手段を講じている。
【０００６】
【発明の実施の形態】
以下に、この発明の指輪およびその製造システムの好適実施例について図面を参照しながら説明する。
図１に示すシステムでは、まず、実際に使用する着用者の指の指輪装着部位２を決める。
そして、その指輪装着部位２の外周面形状を測定装置１０によって測定する。
【０００７】
一例として、着用者の指Ｆの指輪装着部位２に環状に線Ｌを引き、測定装置１０によりその線Ｌの形状を測定する。
この場合、線Ｌに幅を持たせずに二次元データ２Ｄを得てもよいし、あるいは指輪とほぼ同じ幅を持たせてベルト状にして三次元データ３Ｄを得るようにしてもよい。
【０００８】
上記得られた二次元データ２Ｄまたは三次元データ３Ｄを基に指輪製造装置２０によって指輪の内周壁面が形成される。
この発明では、更に、測定された上記データに補正手段１９で修正を加え、このデータを用いて指輪製造装置２０で指輪１を製造するものであってもよい。
例えば、二次元データ２Ｄの場合は、指輪１の断面形状のデータとして用いることができるが、補正手段１９で補完データを加えて三次元データ３Ｄに修正してもよい。
【０００９】
また、測定装置１０の測定に際して、例えば指先から指輪装着部位２に至るまでの関節を含む部分、特に関節の部分を測定しておき、その中で、外周面の最も外側に突出した部分を繋いで環状の二次元データ（指輪の内周面の断面データ）とする補正手段１９を用いてもよい。
【００１０】
あるいは、指Ｆの指輪装着部位２の三次元データを測定すると共に、更に、前記指先から指輪装着部位２に至るまでの関節を含む部分あるいは関節の部分を測定しておき、補正手段１９で、前記三次元データと対比し、それぞれの指先方向の延長線上であって、所定の部位よりも指先方向で外側に突出した部分があれば、その部分のデータに置き換えて三次元データを修正するものでもよい。
【００１１】
その他、適宜のデータ補完や、データ調整をして、指輪装着部位２の外周形状または外周面形状のデータを得るようにしてもよい。
これによって、指輪装着部位２にフィットすると共に、指輪を指先から挿入する際に関節などで引っかからないようにすることができる。
【００１２】
そして、上記データ２Ｄまたは３Ｄを用い、コンピュータ制御により指輪製造装置２０を用いて、指輪１を製造することができる。
あるいは、前記データ２Ｄまたは３Ｄを用いてワックスなどで鋳型を成型し、これを用いて指輪製造器２０で指輪１０を鋳造し、研磨して完成させてもよい。即ち、指輪製造器２０は指輪を製造することができる公知の装置であればよく、その構造は特に限定されるものではない。
【００１３】
次ぎに、測定装置１０’の別の例としては、図２および図３に例示するように、例えば歯科で用いられる弾性印象材による印象採得の方法を利用してもよい。例えば、開閉可能に枢着Ｐされた２分割されたリング状の基部１１ａ、１１ｂの内壁に、弾性印象材として使用される寒天、アルジネート、ポリサルファイド、シリコーンおよびポリエーテル系の印象材料などの型取り部１２ａ、１２ｂを前記基材１１のそれぞれの内側に沿って固着しておく。
【００１４】
そして、着用者の指Ｆの装着部位２を決め、前記基部１１ａ、１１ｂを開いて、型取り部１２ａ、１２ｂが前記指Ｆの装着部位２を挟むように押し付けて、基部１１を閉じる。
すると、図２（ａ）に示すように、一定時間保持することにより、型取り部１２ａ、１２ｂは、前記指Ｆの装着部位２の外周面の形状に沿って変形する。
【００１５】
そこで、図２（ｂ）に示すように、再度、前記基部１１ａ、１１ｂを開いて指を外す。
前記変形した型取り部１２を公知手法で硬化させて、前記指Ｆの装着部位２の外周面形状を保持することができる（図２（ｃ）参照）。
なお、図中１３ａ、１３ｂは、前記基部１１ａ、１１ｂを閉じて環状に形成する際の掛止め構造の一例であり、蟻溝の受部と、これに圧入して係止する突部とからなっている。
【００１６】
この外周面形状１５を指輪の内周面に決定し、この形状を用いて指輪１が製造される。
この場合は、前記実施例とは異なり、外周面形状１５がデータでなく、具体的な形として存在するので、この形状を用いて指輪１を製造することができる。
【００１７】
例えば、前記外周面形状１５にワックスなどを充填して、指輪鋳造用の型を形成することができる。
また、指輪の内周面形状を基準にして、この内周面に均一の厚みをつけることにより指輪を成形すれば、指輪の外周面は指の装着部位２の外周面と相似形状となるので、隣接する指にとっても違和感が少ない指輪となる。
【００１８】
上記実施例では、測定装置１０’の型取り部１２ａ、１２ｂで得た形状を基に、指輪１を製造する場合を説明したが、予め多数のサイズのリングを準備しておき、指輪製造装置２０では、リングの内周面のみを前記型取り部１２ａ、１２ｂで得た形状に合わせて加工するものであってもよい。
【００１９】
例えば、指輪製造装置２０は、前記型取り部１２を硬化させて保持した外周面形状１５を、図示しない読取手段で読取りながら、この形状に倣ってリングの内周壁面を削って、前記外周面形状と同一の内周壁面に加工して、指輪１を完成させるものであってもよい。
【００２０】
この場合に、指輪１は、予め複数のサイズの一次リングとして準備されており、着用者に合うサイズの一次リングを選択し、その選択された一次リングの内周面を前述のように型取られた形状１５に倣って切削加工することにより、簡便に指輪に完成させることができる。
【００２１】
この実施例では、外周面形状１５は一定の幅を有しており、この全体形状をそっくり倣って一次リングの内周面形状に加工するものでもよいが、その一部を環状に結ぶ線に倣って一次リングの内周面形状に加工するものでもよい。
あるいは、前述のようにその外周面形状１５の最も外側に突出する部分を環状に繋いで得られた二次元形状に基づいて一次リングの内周面形状に加工するものでもよい。
【００２２】
この発明は上記実施例に限定されるものではい。
この発明では、指の指輪装着部位を測定する測定手段は前記実施例に限らず、前記部位の外周形状（線）または外周面形状（面）を測定するものであればよい。
また、その測定方法は、接触式であっても、非接触式であってもよく、二次元、または三次元データとして得られるものであっても、あるいは形状として保持されるものであってもよく、特に限定されるものではない。
【００２３】
指輪製造装置は、この発明では、上記測定手段で測定されたデータまたは形状に基づいて指輪を製造するもの、あるいは予め作られている半製品としての指輪（一次リング）を加工して指輪に完成させる装置であってもよい。
その他、要するにこの発明の要旨を変更しない範囲で種々設計変更しうること勿論である。
【００２４】
【発明の効果】
この発明は上記のように構成されているので、着用者だけの指にぴったりとフィットした内周面を有する指輪であって、着用者の指を無理に圧迫することがなく、また指に掛止めるための凹凸を設ける必要もなく、自然に指輪を着用することができる。
また、指輪の外周面は内周面と均一の厚みに形成されるので、左右に隣接する指に対しても不自然に凹凸することがなく、自然な着用感を与えることができる。
また、このようにして成形された指輪は、指の外周面に沿っているので真円となることはなく、指輪が不用意に回ることもない。
このように着用者だけの指輪を作ることができるので、着用者は自分一人だけの指輪を得たというステイタスと満足感を与えることができ、商品価値を一層高めうる。
【図面の簡単な説明】
【図１】指輪製造システムの一例を示す概念図である。
【図２】測定装置の一例を示す図で（ａ）は測定時、（ｂ）は測定後に開いた状態、（ｃ）は測定後に指の部位の外周形状を再現した状態である。
【図３】図２の測定装置を用いた指輪製造システムの別の例を示す概念図である。
【符号の説明】
１            指輪
１０、１０’    測定装置
１１ａ、１１ｂ  基部
１２ａ、１２ｂ  型取り部
１３ａ、１３ｂ  掛止め構造
１５            外周面形状
１９            補正手段
２０            指輪製造装置
Ｆ            着用者の指
Ｌ            線
２Ｄ            二次元データ
３Ｄ            三次元データ
【図１】
2004159872.tif 000003
【図２】
2004159872.tif 000004
【図３】
2004159872.tif 000005